(57)【要約】【課題】  音響効果を高めるための音響室を構成するスピーカボックスの構造を簡単化するとともに、スピーカ接続線の配線を容易に行うことができる遊技機を提供する。【解決手段】  遊技機の所定位置に、遊技に関連して演出音を発するスピーカ９１が配設されている。【選択図】        図７
2006034512.tif 000002
【特許請求の範囲】
【請求項１】
遊技機の所定位置に、遊技に関連して演出音を発するスピーカが配設されていることを特徴とする遊技機。
【発明の詳細な説明】
【技術分野】
【０００１】
この発明は、遊技機に関し、例えば、球（パチンコ球）を用いて遊技を行う遊技機に関する。
【背景技術】
【０００２】
遊技機（例えば、パチンコ機）において、遊技に関連して演出音を発するスピーカが配設された遊技機が知られている。
また、音響効果を高めるために、本体枠（前枠、前面枠等と呼ばれることもある）の前側に、同本体枠とは別体のスピーカボックスが装着され、そのスピーカボックスの開口部を塞ぐようにしてスピーカが装着されることで、スピーカの後側において、スピーカボックス内に音響効果を高める音響室が形成されたものが知られている（例えば、特許文献１参照）。
また、遊技機の前側にスピーカ埋め込み部が設けられ、そのスピーカ埋め込み部の開口部にスピーカが装着されるとともに、スピーカに一端が接続されたスピーカ接続線の端末コネクタがスピーカ埋め込み部の壁に形成された孔を通して配線される構造のものが知られている（例えば、特許文献１参照）。
【特許文献１】特開２０００ー３０８７４４号公報
【特許文献２】特開２００２ー２５３７５２号公報
【発明の開示】
【発明が解決しようとする課題】
【０００３】
ところで、音響効果を高めるためには、スピーカボックスの内部空間を音響室とし、その音響室に対し音響通路を連通状に形成してバスレフ式としたり、あるいは音響室を気密に構成して密閉式とすることが望ましい。
前記したように、スピーカボックスの内部空間を音響室とした場合、例えば、スピーカボックスの壁にコネクタ挿通孔を貫設し、スピーカに一端が接続されたスピーカ接続線の端末コネクタをコネクタ挿通孔に挿通して配線すると、コネクタ挿通孔からの音漏れによって音響効果が低下される、という不具合が発生する。特に、バスレフ式の場合には音漏れによる悪影響が大きい。
【０００４】
この発明の目的は、前記問題点に鑑み、内部空間を音響室とするスピーカボックスの壁にコネクタ挿通孔を形成してスピーカ接続線の配線を行うとともに、コネクタ挿通孔からの音漏れを防止することができる遊技機を提供することである。
【課題を解決するための手段】
【０００５】
前記目的を達成するために、請求項１の発明に係る遊技機は、
「遊技に関連して演出音を発するスピーカを備えた遊技機であって、
遊技機の前側に、前方に開口しかつ内部空間を音響室とするスピーカボックスが設けられ、
前記スピーカボックスの前記開口部には、同開口部を塞ぐようにしてスピーカが装着され、
前記スピーカボックスを構成する壁の一部には、前記スピーカに一端部が接続されたスピーカ接続線の端末コネクタが挿通可能な大きさのコネクタ挿通孔が形成され、
前記コネクタ挿通孔は、前記スピーカ接続線の端末コネクタが挿通された後、同コネクタ挿通孔に嵌込みによって装着されるキャップによって塞がれ、
前記コネクタ挿通孔と前記キャップのうち、少なくとも一方には、前記コネクタ挿通孔に対する前記キャップの嵌込みを前記スピーカ接続線が阻害することがないように同スピーカ接続線を挿通可能な接続線挿通部が形成されていることを特徴とする遊技機。」
を要旨とするものである。
【０００６】
前記構成において、スピーカに一端部が接続されたスピーカ接続線を配線する場合、スピーカ接続線の端末コネクタをスピーカボックスの壁に形成されたコネクタ挿通孔を通して外部に引き出し、その端末コネクタを遊技機の後側に配置されたコネクタ接続部に差し込むことで、スピーカ接続線の配線を容易に行うことができる。
また、スピーカ接続線の端末コネクタがコネクタ挿通孔に挿通された後、同コネクタ挿通孔にキャップが嵌込まれて装着されることによって、コネクタ挿通孔が塞がれる。
このため、スピーカボックス内の音響室内の音がコネクタ挿通孔から漏れることを防止することができる。
また、コネクタ挿通孔にキャップを嵌込む際、スピーカ接続線が接続線挿通部に挿通されることによって、コネクタ挿通孔にキャップを容易に嵌込んで塞ぐことができる。
【０００７】
請求項２の発明に係る遊技機は、
「請求項１に記載の遊技機であって、
コネクタ挿通孔にキャップが装着され、かつ接続線挿通部にスピーカ接続線が挿通された状態において、前記スピーカ接続線の線上には、音響室側において前記接続線挿通部に係合することで、同スピーカ接続線の不測の引き出しを阻止する引出阻止部が設けられていることを特徴とする遊技機。」
を要旨とするものである。
【０００８】
前記構成において、接続線挿通部から外部に延出されて配線されるスピーカ接続線に対し、外力が作用してスピーカ接続線が不測の引き出されようとすると、スピーカボックス内の音響室側において、そのスピーカ接続線の線上に設けられた引出阻止部が接続線挿通部に係合する。
これによって、スピーカ接続線の不測の引き出しを阻止することができるため、スピーカ接続線の一端部がスピーカから外れる不具合を防止することができる。
【０００９】
請求項３の発明に係る遊技機は、
「請求項１又は２に記載の遊技機であって、
接続線挿通部は、コネクタ挿通孔の一部に連通して形成されていることを特徴とする遊技機。」
を要旨とするものである。
【００１０】
前記構成において、本体枠のスピーカボックスの壁に形成されたコネクタ挿通孔の一部に連通して接続線挿通部を容易に形成することができる。
また、コネクタ挿通孔の一部に連通して接続線挿通部を形成することで、例えば、スピーカ接続線の線上に引出阻止部が設けられた場合には、そのスピーカ接続線に作用する引張力をスピーカボックスの壁で良好に受けることができる。このため、スピーカ接続線の一端部がスピーカから外れる不具合を防止することができる。
【００１１】
請求項４の発明に係る遊技機は、
「請求項１又は２に記載の遊技機であって、
接続線挿通部は、キャップの一部に形成されていることを特徴とする遊技機。」
を要旨とするものである。
【００１２】
前記構成において、合成樹脂材又はゴム材を材料としてキャップを成形型によって形成すると同時にそのキャップの一部に接続線挿通部を形成することができる。
また、コネクタ挿通孔にキャップを嵌込む際、スピーカ接続線がキャップの接続線挿通部に挿通されることによって、コネクタ挿通孔にキャップを容易に嵌込んで塞ぐことができる。
【発明の効果】
【００１３】
この発明によれば、スピーカに一端部が接続されたスピーカ接続線を配線する場合、スピーカ接続線の端末コネクタをスピーカボックスの壁に形成されたコネクタ挿通孔を通して外部に引き出し、その端末コネクタを遊技機の後側に配置されたコネクタ接続部に差し込むことで、スピーカ接続線の配線を容易に行うことができる。
また、スピーカ接続線の端末コネクタがコネクタ挿通孔に挿通された後、同コネクタ挿通孔にキャップが嵌込まれて装着されることによって、コネクタ挿通孔を塞ぐことができる。このため、スピーカボックスの音響室内の音がコネクタ挿通孔から漏れることを防止することができ、スピーカボックスの音響室による音響効果がコネクタ挿通孔によって悪化される不具合を防止することができる。
また、スピーカ接続線が接続線挿通部に挿通されることによって、コネクタ挿通孔にキャップを容易に嵌込んで塞ぐことができる。
【発明を実施するための最良の形態】
【００１４】
次に、この発明を実施するための最良の形態を実施例にしたがって説明する。
【実施例】
【００１５】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠の後側に各種部材が組み付けられた状態を斜め左下方から示す斜視図である。図５は遊技機の本体枠と遊技盤とを分離して示す斜視図である。図６は本体枠の下部左側に形成されたスピーカボックスとスピーカとを分離して示す斜視図である。図７は本体枠のスピーカボックスを後側から示す斜視図である。図８は本体枠のスピーカボックスを後側から示す背面図である。図９は図８のＩＸ−ＩＸ線に基づくスピーカボックスの平断面図である。図１０はスピーカボックスのコネクタ挿通孔にキャップが装着された状態を示す断面図である。図１１はスピーカボックスのコネクタ挿通孔とキャップとの関係を示す斜視図である。図１２はコネクタ挿通孔にスピーカ接続線の端末コネクタが挿通された状態を示す説明図である。図１３はスピーカ接続線が接続線挿通部に挿通された状態を示す説明図である。図１４はコネクタ挿通孔にキャップが装着された状態を示す説明図である。なお、説明の便宜上、遊技機において遊技者側を前、反対側を後として説明する。
【００１６】
［遊技機の概要について］
図１〜図３に示すように、遊技機としてのパチンコ機は、外枠１０、本体枠２０、遊技盤４０、ガラス扉５０等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００１７】
［本体枠について］
図１と図５に示すように、本体枠２０は、前枠体２１、遊技盤装着枠２２及び機構装着体２３を合成樹脂材によって一体成形することで構成されている。
本体枠２０の前側に形成された前枠体２１は、外枠１０の前側の下受板１５を除く外郭形状に対応する大きさの矩形枠状に形成されている。前枠体２１の中央部には遊技盤装着枠２２が形成され、その遊技盤装着枠２２の後側に機構装着体２３が形成されている。
【００１８】
［本体枠の遊技盤装着枠と遊技盤について］
図１と図５に示すように、本体枠２０の遊技盤装着枠２２は、前枠体２１の中央部後側に設けられかつ遊技盤４０が前方から着脱交換可能に嵌込まれ適宜の固定手段によって取付られるようになっている。
図１と図５に示すように、遊技盤４０は、遊技盤装着枠２２の前方から嵌込まれる大きさの略四角板状に形成されている。遊技盤４０の盤面（前面）には、外レールと内レールとを備えた案内レール４１が設けられ、その案内レール４１の内側に遊技領域４２が区画形成されている。
【００１９】
図１に示すように、遊技盤４０には、その遊技領域４２内において、遊技に関する役物装置、例えば、センタ役物と呼ばれる役物装置４３、入賞装置、風車器、誘導釘、ランプ装飾部材等の各種の装備品が配設されている。
また、役物装置４３の役物本体４４には、その略中央部に開口窓が形成され、役物本体４４の後側には、その開口窓に臨んで図柄表示装置（例えば、液晶表示器、ＥＬ表示器，プラズマ表示器，ＣＲＴ等）４５が装着されている。
また、図５に示すように、図柄表示装置４５の後側には、図柄制御基板４６が収納された図柄基板ボックス４７が装着されている。
【００２０】
図３と図５に示すように、遊技盤４０の後側下部には、その中央部から下部にわたる部分において、各種入賞装置に流入した球を受けかつその球を所定位置まで導く集合樋としての機能とボックス装着部としての機能を兼ね備えたボックス装着台４８が設けられている。このボックス装着台４８の後側には、副制御基板７８が収納された副制御基板ボックス７７が装着され、その副制御基板ボックス７７の後側に重ね合わされた状態で、主制御基板７６が収納された主制御基板ボックス７５が装着されている。
さらに、遊技盤４０の後側に対しボックス装着台４８、副制御基板ボックス７７及び主制御基板ボックス７５がそれぞれ装着された状態において、本体枠２０の遊技盤装着枠２２の前方からその遊技盤装着枠２２内に遊技盤４０を嵌込んで装着できるように、遊技盤４０の外郭より外側にはみ出すことなくボックス装着台４８、副制御基板ボックス７７及び主制御基板ボックス７５が配置されている。
【００２１】
また、遊技盤４０側に配置された主制御基板７６は遊技の進行を制御し、副制御基板７８は周辺機器を制御する。すなわち、主制御基板７６からの遊技に関する信号を受けた副制御基板７８は、図柄制御基板４６を介して図柄表示装置４５に表示を行う。
また、図柄制御基板４６は、遊技用信号を表示用信号に変換して図柄表示装置４５に伝達する。図柄表示装置４５は大当たりの抽選図柄が変動表示可能となっている。
【００２２】
［本体枠の前枠体の前側下部の装備品について］
図１に示すように、本体枠２０の前枠体２１前面の下部領域の上側部分には遊技盤４０の発射通路に向けて球を導く発射レール３０が傾斜状に装着され、下部領域の下側部分には、下部前面板３１が装着されている。この下部前面板３１の前面略中央部には、下皿３２が設けられ、片側（図１に向かって右側）寄りには操作ハンドル３３が設けられている。
【００２３】
［ガラス扉について］
図１と図２に示すように、本体枠２０の前枠体２１の前面の片側には、その前枠体２１の上端から下部前面板４４の上縁にわたる部分を覆うようにしてガラス扉５０が扉開閉用ヒンジ機構４９によって前方に開閉可能に装着されている。ガラス扉５０のヒンジ機構４９と反対側に自由端側の後側には、次に述べる施錠装置６０の扉施錠フック６２に係脱可能に係合してガラス扉５０を閉じ状態に施錠する閉止具５４が設けられている。
また、ガラス扉５０の略中央部には、遊技盤４０の遊技領域４２を前方から透視可能な略円形の開口窓５１が形成されている。また、ガラス扉５０の後側には開口窓５１よりも大きな矩形枠状をなす窓枠５２が設けられ、その窓枠５２には、ガラス板、透明樹脂板等より形成される窓板５３が装着されている。
また、図２に示すように、ガラス扉５０の前側の上部には上部電飾装置５５が配設され左右両側部にはサイド電飾装置５６が配設されている。これによってガラス扉５０の前面の略全体が電飾されるようになっている。また、ガラス扉５０の前側下部には上皿５７が設けられている。
【００２４】
［施錠装置について］
図１と図４に示すように、前枠体２１のヒンジ機構と反対側に自由端側の後側には、外枠１０に対し本体枠２０を施錠する機能と、本体枠２０に対しガラス扉５０を施錠する機能とを兼ね備えた施錠装置６０が装着されている。
すなわち、施錠装置６０は、外枠１０に設けられた閉止具１７に係脱可能に係合して本体枠２０を閉じ状態に施錠する上下複数の本体枠施錠フック６１と、ガラス扉５０の自由端側の後側に設けられた閉止具５４に係脱可能に係合してガラス扉５０を閉じ状態に施錠する上下複数の扉施錠フック６２とを備えている。また、扉施錠フック６２は、前枠体２１を貫通してその前枠体２１から前方に向けて突出され、ガラス扉５０後側の閉止具５４に係脱可能に臨んでいる。
【００２５】
また、施錠装置６０はシリンダー錠６３を備え、そのシリンダー錠６３の前端部は、遊技機の前方から鍵を挿入されて解錠操作可能に、前枠体２１及び下部前面板３１を貫通してその下部前面板３１の前面に露出されている（図２参照）。
そして、シリンダー錠６３の鍵穴に鍵が挿入されて一方向に回動操作されることで本体枠施錠フック６１と外枠１０の閉止具１７との係合が外れて本体枠２０が解錠され、これとは逆方向に回動操作されることで、扉施錠フック６２とガラス扉５０の閉止具５４との係合が外れてガラス扉５０が解錠されるようになっている。
【００２６】
［本体枠の前枠体の後側下部及び機構装着体の装備品について］
図３と図４に示すように、前枠体２１の後側において、遊技盤装着枠２２よりも下方に位置する前枠体２１の後下部領域の片側（図４に向かって左側）には、発射レール３０の下傾端部の発射位置に送られた球を発射するための発射ハンマー６６、その発射ハンマー６６を作動する発射モータ６５等が装着されている。
また、図４に示すように、前枠体２１の後下部領域の略中央部には、電源基板７１を有する電源基板ボックス７０が装着され、その電源基板ボックス７０後側に重ね合わされた状態で払出制御基板７４を有する払出制御基板ボックス７３が装着されている。
図３と図４に示すように、本体枠２０の機構装着体２３の上部後側には、島設備から供給される多数の球が貯留可能な球タンク８０と、その球タンク８０の下方に連通するタンクレール８１とが配設されている。
また、本体枠２０の機構装着体２３の片側（図３に向かって右側）寄りの上下方向には、球通路、球払出用回転体、球払出モータ等を備えてユニット化された球払出装置８５が装着されている。
【００２７】
［本体枠のスピーカボックスについて］
図５と図６に示すように、本体枠２０の前枠体２１の前側において、遊技盤装着枠２２よりも下方に位置する前枠体２１の下部領域の一側（図５では左側）寄りには、本体枠２０を合成樹脂材によって形成すると同時にバスレフ式のスピーカボックス１００が一体に形成されている。
図６と図７に示すように、スピーカボックス１００は、前方に開口し後側（奥側）が後壁１０６によって塞がれた箱形状（この実施例において、前側が大きく後側に向けてしだいに小さくなった複数段の段差箱形状）に形成されている。
【００２８】
図６と図９に示すように、スピーカボックス１００の前側開口部には、同開口部を塞ぐようにしてかつスピーカ装着体（スピーカカバー）９０によってスピーカ９１が装着されている。
スピーカ装着体９０は、多数のスリット状の貫通孔が貫設されかつスピーカボックス１００の前側開口部にビス９３によって取り付けられる前面板と、その前面板の後側周縁部に沿って後方に向けて突設された周壁部と、を備えて後方に開口する箱形状に形成されている。そして、スピーカ装着体９０の前面板の内面に、スピーカ（コーン型スピーカ）９１がその前面フランジ９２においてビス９４等によって装着されている。
スピーカ９１は、遊技に関連して演出音を発するものであり、そのスピーカ９１に一端が接続されて延出されたスピーカ接続線１２０の端末コネクタ１２１が、図７に示すように、中継基板９５の基板コネクタ９６に差し込まれて接続されることで、副制御基板７８に接続されるようになっている。なお、図４に示すように、中継基板９５は、球払出装置８５の下方に位置する機構装着体２３の後側部分に装着され、副制御基板７８に接続されている。
【００２９】
図６と図９に示すように、スピーカボックス１００の前側開口部にスピーカ装着体９０によってスピーカ９１が装着された状態において、スピーカボックス１００内には、スピーカ９１の前面フランジ９２と後壁１０６との間に音響室１０１が形成されている。
また、この実施例において、図６と図９に示すように、スピーカボックス１００の片側の側壁部の内面にはダクト部材１１１が装着され、これによって前端が前枠体２１の前方に開口し後端部が音響室１０１に連通する音響通路１１０が形成され、これによって、バスレフ式のスピーカボックス１００が構成されている。
【００３０】
［スピーカの配線について］
図９と図１０に示すように、スピーカボックス１００を構成する壁の一部には、スピーカ９１に一端が接続されたスピーカ接続線１２０の端末コネクタ１２１が挿通可能な大きさのコネクタ挿通孔１３０が形成されている。
この実施例において、図９と図１０に示すように、スピーカボックス１００の後壁１０６の外面（後側）に凹部１０７が形成され、その凹部１０７の底部にコネクタ挿通孔１３０が貫設されている。そして、スピーカ９１に一端が接続されて延出されたスピーカ接続線１２０の端末コネクタ１２１がコネクタ挿通孔１３０に挿通されて配線されるようになっている。
【００３１】
図１０に示すように、スピーカボックス１００の後壁１０６のコネクタ挿通孔１３０には、そのコネクタ挿通孔１３０にスピーカ接続線１２０の端末コネクタ１２１が挿通された後、キャップ１４０が嵌込みによって装着され、そのキャップ１４０によってコネクタ挿通孔１３０が塞がれるようになっている。
キャップ１４０は、合成樹脂材、ゴム材等より形成され、図１０と図１１に示すように、コネクタ挿通孔１３０の孔径寸法よりも適宜に大きい外径寸法を有する頭部１４１と、コネクタ挿通孔１３０の孔径寸法よりも略同じ（若干小さい）外径寸法を有する首部１４２と、その首部１４２の先端に形成されかつコネクタ挿通孔１３０の孔回りにおいて後壁１０６の内面に係合する係止爪１４３と、を一体に備えている。
そして、キャップ１４０は、後壁１０６のコネクタ挿通孔１３０の後方からそのコネクタ挿通孔１３０に押し込まれる（嵌込まれる）ことによって、コネクタ挿通孔１３０に装着され、そのキャップ１４０の頭部１４１及び首部１４２によってコネクタ挿通孔１３０が塞がれるようになっている。
【００３２】
前記したコネクタ挿通孔１３０とキャップ１４０のうち、少なくとも一方には、コネクタ挿通孔１３０に対するキャップ１４０の嵌込みをスピーカ接続線１２０が阻害することがないように同スピーカ接続線１２０を挿通可能な接続線挿通部１３１が形成されている。
この実施例において、図１１と図１２に示すように、接続線挿通部１３１は、スピーカ接続線（２本のリード線）１２０が挿通可能な程度に小さい細孔状をなし、コネクタ挿通孔１３０の孔回りの一部に連通して形成されている。そして、コネクタ挿通孔１３０と接続線挿通部１３１とが鍵孔状をなして連通している。
また、この実施例において、コネクタ挿通孔１３０に対する接続線挿通部１３１の細孔部の入口近傍の対向壁面には、接続線挿通部１３１にスピーカ接続線１２０を挿通状態に保持する突起１３２が突設されている。
【００３３】
また、図９に示すように、コネクタ挿通孔１３０にキャップ１４０が装着され、かつ接続線挿通部１３１にスピーカ接続線１２０が挿通された状態において、スピーカ接続線１２０の線上には、音響室１０１側において接続線挿通部１３１に係合することで、同スピーカ接続線１２０の不測の引き出しを阻止する引出阻止部１２３が設けられている。
この実施例において、引出阻止部１２３は、結束ベルトによって構成されている。すなわち、スピーカ接続線１２０の線上の所定位置に歯付きベルトを巻き付けその歯付きベルトをベルト挿通部に挿通して締め付けることによって、ベルト挿通部の爪が歯付きベルトのベルト方向に配列された任意の歯と噛みあって拘束され、これによって、スピーカ接続線１２０の線上の所定位置に引出阻止部１２３が形成されるようになっている。
【００３４】
なお、結束ベルトは、歯付きベルトの締め付け方向の移動は許容し緩み方向においてはベルト挿通部の爪と歯付きベルトの歯とが噛み合って阻止されるインシュロックベルトと呼ばれている市販の結束ベルトを用いることができる。
また、引出阻止部１２３は、結束ベルト以外のもので形成することができ、例えば、スピーカ接続線１２０自体に結び目を形成し、その結び目によって引出阻止部１２３を形成することも可能である。
【００３５】
［この実施例に係る遊技機の作用効果について］
上述したように構成されるこの実施例に係る遊技機において、本体枠２０にスピーカボックス１００を一体に形成（一体成形）することによって、本体枠２０とは別個にスピーカボックス１００を製作して組み付ける手間を省くことができ、この分だけ部品点数や組付工数を削減することができる。
【００３６】
また、スピーカ９１に一端部が接続されたスピーカ接続線１２０を配線する場合、スピーカボックス１００の前側開口部にスピーカ９１をそのスピーカ装着体９０によって装着する前に、図１２に示すように、スピーカ９１に一端が接続されたスピーカ接続線１２０の端末コネクタ１２１がスピーカボックス１００の壁（この実施例では後壁１０６）に形成されたコネクタ挿通孔１３０を通して外部に引き出される。
その後、図１３に示すように、スピーカ接続線１２０が接続線挿通部１３１まで移動されて挿通される。この際、スピーカ接続線１２０が接続線挿通部１３１の入口近傍の突起１３２に圧接しながら同突起１３２を強制的に乗り越えて接続線挿通部１３１に移動される。これによって、スピーカ接続線１２０が接続線挿通部１３１内に保持され、コネクタ挿通孔１３０側に不測に移動されることが防止される。
【００３７】
前記した状態で、図１４に示すように、コネクタ挿通孔１３０にキャップ１４０が嵌込まれることで、スピーカ接続線１２０がキャップ１４０の嵌込み操作の妨害物となることなく、キャップ１４０が容易に嵌込まれる。そして、図１０に示すように、コネクタ挿通孔１３０がキャップ１４０の頭部１４１及び首部１４２によって塞がれる。
その後、図７と図８に示すように、スピーカ接続線１２０の端末コネクタ１２１は、中継基板９５の基板コネクタ９６に差し込まれ、これによってスピーカ接続線１２０の配線が完了する。
【００３８】
前記したようにして、スピーカ接続線１２０の端末コネクタ１２１をスピーカボックス１００の後壁１０６に形成されたコネクタ挿通孔１３０を通して外部に引き出すことによって、スピーカ接続線１２０の配線作用を容易に行うことができる。
また、コネクタ挿通孔１３０は、キャップ１４０によって塞がれるため、スピーカボックス１００内の音響室１０１による音響効果がコネクタ挿通孔１３０によって悪化されることを防止することができる。
また、コネクタ挿通孔１３０にキャップ１４０を嵌込む際、スピーカ接続線１２０が接続線挿通部１３１に挿通されることによって、コネクタ挿通孔１３０にキャップ１４０を容易に嵌込んで塞ぐことができる。
【００３９】
また、図９に示すように、コネクタ挿通孔１３０にキャップ１４０が装着され、かつ接続線挿通部１３１にスピーカ接続線１２０が挿通された状態において、スピーカ接続線１２０の線上には、音響室１０１側において接続線挿通部１３１に係合することで、同スピーカ接続線１２０の不測の引き出しを阻止する引出阻止部１２３が設けられている。
このため、接続線挿通部１３１から外部に延出されて配線されるスピーカ接続線１２０に対し、外力が作用してスピーカ接続線１２０が不測の引き出されようとすると、スピーカボックス１００内の音響室１０１側において、そのスピーカ接続線１２０の線上に設けられた引出阻止部１２３が接続線挿通部１３１に係合する。これによって、スピーカ接続線１２０の不測の引き出しを阻止することができるため、スピーカ接続線１２０の一端部がスピーカ９１から外れる不具合を防止することができる。
【００４０】
また、コネクタ挿通孔１３０の一部に連通して接続線挿通部１３１を形成することで、例えば、スピーカ接続線１２０の線上に引出阻止部１２３が設けられた場合には、そのスピーカ接続線１２０に作用する引張力をスピーカボックス１００の後壁１０６で良好に受けることができる。このため、スピーカ接続線１２０の一端部がスピーカ９１から外れる不具合を防止することができる。
【００４１】
［この発明の他の実施例について］
なお、この発明は前記実施例に限定するものではない。
例えば、前記実施例においては、スピーカボックス１００の後壁１０６の外面（後側）に形成された凹部１０７の底部にコネクタ挿通孔１３０が貫設される場合を例示したが、後壁１０６以外の壁（側壁、上壁、下壁）にコネクタ挿通孔を貫設してもこの発明を実施することができる。また、コネクタ挿通孔１３０は、スピーカ接続線１２０の端末コネクタ１２１が挿通可能な大きさであればよく、円形以外に楕円形、四角形、多角形等であってもよい。
【００４２】
また、前記実施例においては、接続線挿通部１３１がコネクタ挿通孔１３０の孔回りの一部に連通して形成されている場合を例示したが、例えば、図１５と図１６に示すように、キャップ１４０の頭部１４１及び首部１４２の外周面から中心部に向けて切り込み状の接続線挿通部１４５を形成してもこの発明を実施することができる。
また、図１７に示すように、キャップ１４０の首部１４２の外周面から頭部１４１の内面に沿って溝状の接続線挿通部１４６を形成してもこの発明を実施することができる。
また、前記接続線挿通部１４５（１４６）は、合成樹脂材又はゴム材を材料としてキャップ１４０を成形型によって形成すると同時に形成することができる。
【図面の簡単な説明】
【００４３】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠に各種部材が組み付けられた状態を斜め左下方から示す斜視図である。
【図５】同じく遊技機の本体枠と遊技盤とを分離して示す斜視図である。
【図６】同じく本体枠の下部左側に形成されたスピーカボックスとスピーカとを分離して示す斜視図である。
【図７】同じく本体枠のスピーカボックスを後側から示す斜視図である。
【図８】同じく本体枠のスピーカボックスを後側から示す背面図である。
【図９】同じく図８のＩＸ−ＩＸ線に基づくスピーカボックスの平断面図である。
【図１０】同じくスピーカボックスのコネクタ挿通孔にキャップが装着された状態を示す断面図である。
【図１１】同じくスピーカボックスのコネクタ挿通孔とキャップとの関係を示す斜視図である。
【図１２】同じくコネクタ挿通孔にスピーカ接続線の端末コネクタが挿通された状態を示す説明図である。
【図１３】同じくスピーカ接続線が接続線挿通部に挿通された状態を示す説明図である。
【図１４】同じくコネクタ挿通孔にキャップが装着された状態を示す説明図である。
【図１５】キャップの頭部及び首部の外周面から中心部に向けて切り込み状の接続線挿通部が形成された実施態様を示す斜視図である。
【図１６】同じくキャップの頭部及び首部の外周面から中心部に向けて切り込み状の接続線挿通部が形成された実施態様を示す断面図である。
【図１７】キャップの首部の外周面から頭部の内面に沿って溝状の接続線挿通部が形成された実施態様を示す断面図である。
【符号の説明】
【００４４】
１０  外枠
２０  本体枠
２１  前枠体
９０  スピーカ装着板
９１  スピーカ
１００  スピーカボックス
１０６  後壁（スピーカボックスの壁）
１２０  スピーカ接続線
１２１  端末コネクタ
１２３  引出阻止部
１３０  コネクタ挿通孔
１３１  接続線挿通部
１４０  キャップ
【図１】
2006034512.tif 000003
【図２】
2006034512.tif 000004
【図３】
2006034512.tif 000005
【図４】
2006034512.tif 000006
【図５】
2006034512.tif 000007
【図６】
2006034512.tif 000008
【図７】
2006034512.tif 000009
【図８】
2006034512.tif 000010
【図９】
2006034512.tif 000011
【図１０】
2006034512.tif 000012
【図１１】
2006034512.tif 000013
【図１２】
2006034512.tif 000014
【図１３】
2006034512.tif 000015
【図１４】
2006034512.tif 000016
【図１５】
2006034512.tif 000017
【図１６】
2006034512.tif 000018
【図１７】
2006034512.tif 000019